(57)【要約】【課題】二次元コード画像を優先的に読み取り易くする端末装置等を提供する。【解決手段】携帯端末は、識別部と、検知部と、制御部とを有する。識別部は、表示画面に表示中の二次元コード画像の存在を識別する。検知部は、識別部にて二次元コード画像の存在が識別されると、読取機からのＲＦＩＤタグ読取用の搬送波を検知する。制御部は、検知部にて搬送波が検知されると、表示画面に表示中の二次元コード画像を拡大して表示する。読取機は、携帯端末のＲＦＩＤタグの情報読取前に携帯端末の表示画面に表示中の二次元コード画像の情報を優先的に読み取りやすくできる。【選択図】図１
2015203884.tif 000002
【特許請求の範囲】
【請求項１】
表示画面に表示中の識別情報画像を識別する識別部と、
前記識別部にて前記識別情報画像が識別されると、無線タグ読取用の信号を検知する検知部と、
前記検知部にて前記信号が検知されると、前記表示画面に表示中の前記識別情報画像を拡大して表示する制御部と
を有することを特徴とする端末装置。
【請求項２】
前記制御部は、
前記表示画面に前記拡大した前記識別情報画像を複数表示することを特徴とする請求項１に記載の端末装置。
【請求項３】
表示画面を有する端末装置が、
前記表示画面に表示中の識別情報画像を識別し、
前記識別情報画像が識別されると、無線タグ読取用の信号を検知し、
前記信号が検知されると、前記表示画面に表示中の前記識別情報画像を拡大して表示する
処理を実行することを特徴とする表示制御方法。
【請求項４】
表示画面を有する端末装置に、
前記表示画面に表示中の識別情報画像を識別し、
前記識別情報画像が識別されると、無線タグ読取用の信号を検知し、
前記識別情報画像が検知されると、前記表示画面に表示中の前記識別情報画像を拡大して表示する
処理を実行させることを特徴とする表示制御プログラム。
【発明の詳細な説明】
【技術分野】
【０００１】
本発明は、端末装置、表示制御プログラム及び表示制御方法に関する。
【背景技術】
【０００２】
例えば、空港の手荷物検査場等に配置された自動改札機には、二次元コード読取部と、ＲＦＩＤ（Radio  Frequency  Identification）読取部とを内蔵したものが知られている。自動改札機では、利用者のニーズに応じて二次元コード画像やＲＦＩＤタグから搭乗者情報等の情報を読み取っている。また、二次元コード読取部及びＲＦＩＤ読取部を内蔵した自動改札機では、二次元コード読取部の読取エリアとＲＦＩＤ読取部の読取エリアとが近接している。
【０００３】
ＲＦＩＤ読取部は、ＲＦＩＤタグ読取用の搬送波を読取エリア付近から所定送信距離のＲＦＩＤ通信範囲内に送信する。更に、携帯端末は、ＲＦＩＤ通信範囲の内、読取エリアに接近するに連れてＲＦＩＤ読取範囲内に進入する。そして、ＲＦＩＤ読取部は、ＲＦＩＤ読取範囲内に進入した携帯端末内のＲＦＩＤタグと通信することでＲＦＩＤタグから情報を読み取る。そして、自動改札機は、携帯端末内のＲＦＩＤタグからの情報の読取結果に基づき、搭乗者を制限できる。
【０００４】
また、二次元コード読取部は、読取エリア内で携帯端末の表示画面に表示する二次元コード画像を画像認識することで、画像認識された二次元コード画像から情報を読み取る。そして、自動改札機は、二次元コード画像からの情報の読取結果に基づき、搭乗者を制限できる。
【先行技術文献】
【特許文献】
【０００５】
【特許文献１】特表２０１０−５１５９５９号公報
【特許文献２】特開２００６−８６９２６号公報
【発明の概要】
【発明が解決しようとする課題】
【０００６】
しかしながら、自動改札機は、利用者が二次元コード画像からの情報読取を優先させたい場合でも、二次元コード読取部及びＲＦＩＤ読取部の読取エリアが近接しているため、二次元コード画像の画像認識が遅れ、先に携帯端末がＲＦＩＤ読取範囲内に進入する。その結果、二次元コード画像の情報読取前にＲＦＩＤタグから情報が読み取られてしまう。
【０００７】
例えば、利用者が１台の携帯端末を使用して電車の運賃支払いにＲＦＩＤタグ、飛行機の搭乗に二次元コードを使用する場合を想定したとする。飛行機搭乗の自動改札機では、二次元コード画像からの情報読取を優先することになる。しかしながら、自動改札機では、二次元コード画像の画像認識が遅れて携帯端末がＲＦＩＤ読取範囲内に進入し、二次元コード画像の情報読取前にＲＦＩＤタグからの情報が読み込まれて搭乗者情報が得られず、情報読取の失敗となる。
【０００８】
一つの側面では、識別情報画像の情報を優先的に読み取る端末装置、表示制御プログラム及び表示制御方法を提供することを目的とする。
【課題を解決するための手段】
【０００９】
一つの案では、識別部と、検知部と、制御部とを有する。識別部は、表示画面に表示中の識別情報画像を識別する。検知部は、識別部にて前記識別情報画像が識別されると、無線タグ読取用の信号を検知する。更に、制御部は、検知部にて前記信号が検知されると、前記表示画面に表示中の前記識別情報画像を拡大して表示する。
【発明の効果】
【００１０】
識別情報画像の情報を優先的に読み取る。
【図面の簡単な説明】
【００１１】
【図１】図１は、本実施例の情報読取システムの一例を示す説明図である。
【図２】図２は、拡大画像の一例を示す説明図である。
【図３】図３は、二次元コード読取動作の一例を示す説明図である。
【図４】図４は、表示制御処理に関わる携帯端末のプロセッサの処理動作の一例を示すフローチャートである。
【図５】図５は、他の実施例の拡大画像の一例を示す説明図である。
【図６】図６は、表示制御プログラムを実行する端末装置の一例を示す説明図である。
【発明を実施するための形態】
【００１２】
以下、図面に基づいて、本願の開示する端末装置、表示制御プログラム及び表示制御方法の実施例を詳細に説明する。尚、本実施例により、開示技術が限定されるものではない。また、以下に示す各実施例は、矛盾を起こさない範囲で適宜組み合わせても良い。
【実施例】
【００１３】
図１は、本実施例の情報読取システムの一例を示す説明図である。図１に示す情報読取システム１は、読取機２と、携帯端末３とを有し、読取機２が携帯端末３から特定情報、例えば、飛行機の搭乗者情報を読み取るシステムである。携帯端末３は、例えば、空港等で飛行機に搭乗する搭乗者が携帯する端末装置である。読取機２は、例えば、空港等の手荷物検査場や搭乗ゲート等に配置された自動改札機等に内蔵され、携帯端末３から二次元コード読取機能やＲＦＩＤ読取機能を用いて携帯端末３から搭乗者情報を読み取る。
【００１４】
読取機２は、二次元コード読取部１１と、ＲＦＩＤ読取部１２と、出力部１３と、制御部１４とを有する。二次元コード読取部１１は、読取エリア２Ａ（図３参照）内の携帯端末３の表示画面上に表示された二次元コード画像等の識別情報画像を画像認識する。尚、二次元コード読取部１１は、図示せぬカメラ部のズーム機能やオートフォーカス機能を用いて識別情報画像を画像認識する。二次元コード読取部１１は、画像認識された二次元コード画像から情報を読み取る。ＲＦＩＤ読取部１２は、読取エリア２Ａ付近から読取検知用の搬送波を出力し、搬送波を用いて携帯端末３内のＲＦＩＤタグと通信してＲＦＩＤタグから情報を読み取る。搬送波は、ＨＦ（High  Frequency）の周波数帯を使用した読取検知用の信号である。ＲＦＩＤ読取部１２は、読取エリア２Ａ付近から所定送信距離のＲＦＩＤ通信範囲で搬送波を送信する。更に、ＲＦＩＤ読取部１２は、搬送波を用いて、ＲＦＩＤ通信範囲の内、ＲＦＩＤ読取範囲内に存在する携帯端末３内のＲＦＩＤタグと通信してＲＦＩＤタグから情報を読み取る。尚、ＲＦＩＤ読取範囲は、ＲＦＩＤ通信範囲を読取エリア２Ａ付近から約１０ｃｍとした場合、読取エリア付近から約２ｃｍ以内とする。尚、ＲＦＩＤ読取部１２の読取エリアは、二次元コード読取部１１の読取エリア２Ａに近接している。
【００１５】
出力部１３は、例えば、搭乗案内券を発券する発券部等の出力インタフェースである。制御部１４は、読取機２全体を制御する。制御部１４は、二次元コード読取部１１又はＲＦＩＤ読取部１２で携帯端末３から搭乗者情報を読み取り、読取結果に基づき、出力部１３を制御する。
【００１６】
携帯端末３は、例えば携帯電話機やスマートフォン等の無線端末に相当し、無線部２１と、オーディオ入出力部２２と、カメラ２３と、表示部２４と、タッチパネル２５と、ＲＦＩＤタグ２６と、ＲＦＩＤ制御部２７と、記憶部２８と、プロセッサ２９とを有する。無線部２１は、無線アンテナ２１Ａと接続し、図示せぬ無線通信網との無線通信を司る通信インタフェースである。オーディオ入出力部２２は、スピーカ２２Ａ及びマイク２２Ｂと接続し、音声を入出力するインタフェースである。
【００１７】
カメラ２３は、動画像が静止画像等の画像を撮像する機能である。表示部２４は、各種情報を画面表示する出力インタフェースである。タッチパネル２５は、表示部２４の表示画面と連携してタッチ操作を検出する入力インタフェースである。ＲＦＩＤタグ２６は、例えば、搭乗者情報等のＩＤ情報を記録した記録媒体である。ＲＦＩＤ制御部２７は、ＲＦＩＤアンテナ２７Ａと接続し、読取機２内のＲＦＩＤ読取部１２からの搬送波に応じてＲＦＩＤタグ２６を制御する。
【００１８】
記憶部２８は、ＲＯＭ（Read  Only  Memory）２８Ａと、ＲＡＭ（Random  Access  Memory）２８Ｂとを有する。ＲＯＭ２８Ａは、例えば、表示制御プログラム等の各種プログラムを記憶する領域である。ＲＡＭ２８Ｂは、各種情報を記憶する領域を有し、例えば、後述する二次元コード画像を拡大した拡大画像を記憶する領域である。プロセッサ２９は、携帯端末３全体を制御するものである。プロセッサ２９は、ＲＯＭ２８Ａに記憶された表示制御プログラムを読み出し、読み出された表示制御プログラムに基づき各種プロセスを機能として構成するものである。
【００１９】
プロセッサ２９は、識別部３１と、検知部３２と、制御部３３とを機能として動作するものである。識別部３１は、表示部２４の表示画面上の二次元コード画像の存在を識別する。尚、携帯端末３は、例えば、航空会社等のチェックインサイトにアクセスしてサイトから、又は、カメラ２３の撮像機能を使用して紙面から、搭乗者情報が記録された二次元コードを取得する。更に、プロセッサ２９は、取得した二次元コード画像を表示部２４に画面表示する。
【００２０】
検知部３２は、識別部３１にて表示画面上の二次元コード画像の存在が識別された状態で、ＲＦＩＤ読取部１２からの搬送波を検知したか否かを判定する。制御部３３は、表示画面上の二次元コード画像の存在が識別された状態で、二次元コード画像を表示画面サイズに拡大した拡大画像を生成し、生成された拡大画像をＲＡＭ２８Ｂに保存する。尚、図２は、拡大画像の一例を示す説明図である。図２に示す二次元コード画像４１は通常サイズの二次元コード画像である。これに対して、拡大画像４２は、通常サイズから表示部２４の表示画面サイズの短辺一杯に拡大した二次元コード画像である。
【００２１】
制御部３３は、表示画面上の二次元コード画像の存在が識別された状態で、検知部３２にてＲＦＩＤ読取部１２からの搬送波が検知されると、ＲＡＭ２８Ｂに保存中の拡大画像４２を表示部２４に画面表示する。
【００２２】
次に本実施例の情報読取システム１の動作について説明する。図３は、二次元コード読取動作の一例を示す説明図である。携帯端末３の利用者は、例えば、航空会社サイトから搭乗者情報が記録された二次元コード画像を取得し、取得した二次元コード画像を用いて搭乗の手続きをするものとする。携帯端末３は、表示画面内の二次元コード画像の存在が識別されると、二次元コード画像４１を拡大した拡大画像４２を生成し、拡大画像４２をＲＡＭ２８Ｂに保存する。
【００２３】
図３の（Ａ）に示す読取機２のＲＦＩＤ読取部１２は、読取エリア２Ａ付近から搬送波Ｘを送信する。携帯端末３は、二次元コード画像を表示部２４に表示したままの状態で読取機２の読取エリア２Ａに接近することで、読取機２からの搬送波Ｘを検知する。携帯端末３は、読取機２からの搬送波Ｘが検知されると、ＲＡＭ２８Ｂに保存中の拡大画像４２を表示部２４に画面表示する。図３の（Ｂ）に示す読取機２は、読取エリア２Ａ内のＲＦＩＤ通信範囲の内、携帯端末３がＲＦＩＤ読取範囲Ｙ内に進入してＲＦＩＤタグ２６の情報を読み取る前に、二次元コード読取部１１を通じて拡大画像４２を画像認識する。読取機２は、画像認識された拡大画像の搭乗者情報を読み取る。
【００２４】
図４は、表示制御処理に関わる携帯端末３のプロセッサ２９の処理動作の一例を示すフローチャートである。図４に示す表示制御処理は、二次元コード画像が表示された状態で読取機２から搬送波Ｘが検知された場合に、表示画面上に拡大した二次元コード画像を表示する処理である。
【００２５】
図４において携帯端末３のプロセッサ２９は、表示部２４の表示画面が点灯中であるか否かを判定する（ステップＳ１１）。プロセッサ２９は、表示画面が点灯中である場合（ステップＳ１１肯定）、画面操作を検出したか否かを判定する（ステップＳ１２）。プロセッサ２９内の識別部３１は、画面操作を検出した場合（ステップＳ１２肯定）、表示画面内に二次元コード画像４１が存在しているか否かを判定する（ステップＳ１３）。
【００２６】
プロセッサ２９内の制御部３３は、表示画面内に二次元コード画像４１が存在している場合（ステップＳ１３肯定）、二次元コード画像４１を表示部２４の表示画面サイズに拡大するように拡大画像４２を生成する（ステップＳ１４）。制御部３３は、生成した拡大画像４２をＲＡＭ２８Ｂ内に保存する（ステップＳ１５）。この際、制御部３３は、表示画面上に二次元コード画像４１を表示したままの状態である。
【００２７】
プロセッサ２９は、画面操作を検出したか否かを判定する（ステップＳ１６）。プロセッサ２９内の検知部３２は、画面操作を検出しなかった場合（ステップＳ１６否定）、読取機２のＲＦＩＤ読取部１２からの搬送波Ｘを検知したか否かを判定する（ステップＳ１７）。
【００２８】
制御部３３は、搬送波Ｘを検知した場合（ステップＳ１７肯定）、ＲＡＭ２８Ｂに保存中の拡大画像４２を表示画面に画面表示し（ステップＳ１８）、図４に示す処理動作を終了する。その結果、読取機２は、携帯端末３が読取エリア２Ａに進入後、ＲＦＩＤタグ２６を認識する前に二次元コード読取部１１から拡大画像４２を画像認識して二次元コード画像４１内の情報を読み取る。そして、読取機２は、読取結果に基づき、出力部１３を制御する。
【００２９】
プロセッサ２９は、表示画面が点灯中でない場合（ステップＳ１１否定）、又は、画面操作を検出しなかった場合（ステップＳ１２否定）、図４に示す処理動作を終了する。
【００３０】
制御部３３は、表示画面内に二次元コード画像が存在していない場合（ステップＳ１３否定）、ＲＡＭ２８Ｂ内の保存画像をクリアにし（ステップＳ１９）、画面操作を検出したか否かを判定すべく、ステップＳ１６に移行する。つまり、制御部３３は、二次元コード画像４１が表示部２１に表示中の間、拡大画像４２をＲＡＭ２８Ｂ内に保存していることになる。
【００３１】
プロセッサ２９は、画面操作を検出した場合（ステップＳ１６肯定）、又はＲＦＩＤ読取部１２からの搬送波を検知しなかった場合（ステップＳ１７否定）、表示画面内に二次元コード画像４１が存在しているか否かを判定すべく、ステップＳ１３に移行する。
【００３２】
図４に示すプロセッサ２９は、携帯端末３の表示画面上に二次元コード画像４１が存在している場合に二次元コード画像４１を拡大した拡大画像４２を生成し、生成した拡大画像４２をＲＡＭ２８Ｂ内に保存する。そして、プロセッサ２９は、表示画面上に二次元コード画像４１が存在し、ＲＦＩＤ読取部１２から搬送波Ｘを検知した場合にＲＡＭ２８Ｂ内に保存中の拡大画像４２を表示部２４に画面表示する。その結果、読取機２は、二次元コード画像表示中の携帯端末３が読取エリア２Ａ内に進入後、ＲＦＩＤ読取部１２の携帯端末３のＲＦＩＤタグ２６の情報読取前に拡大画像４２を画像認識して二次元コード画像から情報を読み取る。そして、携帯端末３の利用者は、二次元コード画像を優先的に読み取る。
【００３３】
実施例の携帯端末３は、表示画面上に二次元コード画像４１が存在している場合に二次元コード画像４１を拡大し、拡大画像４２をＲＡＭ２８Ｂ内に保存しておく。更に、携帯端末３は、表示画面上に二次元コード画像４１が存在し、ＲＦＩＤ読取部１２から搬送波Ｘを検知した場合にＲＡＭ２８Ｂ内に保存中の拡大画像４２を表示画面に画面表示する。その結果、読取機２は、携帯端末３が読取エリア２Ａに進入後、ＲＦＩＤ読取部１２の携帯端末３のＲＦＩＤタグ２６の情報読取前に、拡大画像４２のため画像認識をし易くし、二次元コード画像の情報を優先的に読み取り易くする。
【００３４】
尚、上記実施例の携帯端末３は、二次元コード画像４１の表示中に拡大画像４２をＲＡＭ２８Ｂ内に保存し、搬送波Ｘが検知された場合に、保存中の拡大画像４２を表示部２４に表示する。しかしながら、携帯端末３は、拡大画像４２を予め保存しておくのではなく、搬送波Ｘが検知された場合に、表示中の二次元コード画像４１を拡大して表示部２４に画面表示するようにしても良い。
【００３５】
上記実施例では、携帯端末３として、例えば、携帯電話機やスマートフォン等を想定し、表示部２４の表示画面の画面サイズに応じて拡大画像４２を生成した。しかしながら、携帯端末をタブレット端末とした場合、携帯端末３の表示部２４に比較して表示画面の画面サイズが大きくなる。図５は、他の実施例の拡大画像の一例を示す説明図である。タブレット端末のプロセッサは、図５の（Ａ）に示すように表示画面上に二次元コード画像４１が存在している場合、二次元コード画像４１を拡大して、図５の（Ｂ）に示すように読取機２で読取可能な拡大画像４２を生成する。更に、タブレット端末のプロセッサは、生成した拡大画像４２を、図５の（Ｃ）に示すようにタブレット端末の表示画面の画面サイズに応じて表示可能な複数個の拡大画像４２、例えば、６個の拡大画像４２をＲＡＭ２８Ｂ内に保存する。
【００３６】
プロセッサ２９は、読取機２からの搬送波が検知されると、ＲＡＭ２８Ｂ内に保存した６個の拡大画像４２を、図５の（Ｃ）に示すようにタブレット端末の表示画面に画面表示する。その結果、タブレット端末は、広い表示画面上に複数の拡大画像４２を画像表示するため、読取機２は、複数の拡大画像の内、何れか一つの拡大画像を画像認識できればよく、二次元コード画像をさらに読み取り易くできる。
【００３７】
尚、上記実施例では、二次元コードを例示したが、二次元コードに限定されるものではなく、例えば、一次元コードや三次元コード等の識別情報画像に適用可能である。更に、上記実施例では、ＲＦＩＤ方式のタグを例示したが、ＲＦＩＤ方式に限定されるものではなく、近距離無線通信（ＮＦＣ:Near Field Communication）や赤外線通信等の方式を使用したタグにも適用可能である。
【００３８】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００３９】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００４０】
ところで、本実施例で説明した各種の処理は、予め用意されたプログラムを端末装置内のＣＰＵ等のプロセッサで実行させることによって実現できる。そこで、以下では、上記実施例と同様の機能を有するプログラムを実行する端末装置の一例を説明する。図６は、表示制御プログラムを実行する端末装置の一例を示す説明図である。
【００４１】
図６に示す表示制御プログラムを実行する端末装置１００は、表示部１１０と、近距離通信部１２０と、ＲＯＭ１３０と、ＲＡＭ１４０と、ＣＰＵ１５０と、無線タグ１６０とを有する。更に、表示部１１０、近距離通信部１２０、ＲＯＭ１３０、ＲＡＭ１４０、ＣＰＵ１５０及び無線タグ１６０は、バス１７０を介して接続される。表示部１１０は、例えば、二次元コード等の識別情報画像を表示する。
【００４２】
そして、ＲＯＭ１３０には、上記実施例と同様の機能を発揮する表示制御プログラムが予め記憶されている。ＲＯＭ１３０は、表示制御プログラムとして識別プログラム１３０Ａ、検知プログラム１３０Ｂ及び制御プログラム１３０Ｃが記憶されている。尚、ＲＯＭ１３０ではなく、図示せぬドライブでコンピュータ読取可能な記録媒体に表示制御プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。
【００４３】
そして、ＣＰＵ１５０は、識別プログラム１３０ＡをＲＯＭ１３０から読み出して識別プロセス１５０Ａとして機能する。更に、ＣＰＵ１５０は、検知プログラム１３０ＢをＲＯＭ１３０から読み出して検知プロセス１５０Ｂとして機能する。ＣＰＵ１５０は、制御プログラム１３０ＣをＲＯＭ１３０から読み出して制御プロセス１５０Ｃとして機能する。
【００４４】
ＣＰＵ１５０は、表示部１１０の表示画面に表示中の識別情報画像を識別する。ＣＰＵ１５０は、識別情報画像が識別されると、図示せぬ読取機から近距離通信部１２０を用いて無線タグ読取用の信号を検知する。更に、ＣＰＵ１５０は、信号が検知されると、表示中の識別情報画像を拡大した拡大識別情報画像を表示部１１０に表示する。その結果、識別情報画像及び無線タグの情報を読取可能とする読取エリアが近接して設けられた場合でも、無線タグの情報読取前に識別情報画像の情報を優先的に読み取ることができる。
【符号の説明】
【００４５】
２  読取機
３  携帯端末
２４  表示部
３１  識別部
３２  検知部
３３  制御部
【図１】
2015203884.tif 000003
【図２】
2015203884.tif 000004
【図３】
2015203884.tif 000005
【図４】
2015203884.tif 000006
【図５】
2015203884.tif 000007
【図６】
2015203884.tif 000008